(57)【要約】【課題】多数枚を積層して収納させたティッシュや、ペーパータオルの持ち運びを向上させ、ペーパー取り出し口からの埃の侵入を防ぐフタとしての機能を持ち、壁に設置するための機能を有する持ち手つきぺーパー収納箱１を提供する。 【解決手段】  必要枚数積層した状態のペーパーを収納箱に収納し、収納箱両端側面につけた多機能持ち手は３６０度回転でき、かつ、ペーパー取り出し口径より幅広の持ち手は、収納箱側に密着されるように引き込み移動が可能でフタとなる、密着後固定させるためにロックが出来る。持ち手にはネジを利用して壁に本収納箱１を固定させるための穴４をあけて構成した。【選択図】図１
2011225264.tif 000002
【特許請求の範囲】
【請求項１】
持ち運びを向上させるための持ち手は、必要枚数積層したティッシュや、ペーパータオルを収納して使用する収納箱両端側面につけられ、３６０度回転でき、収納箱側に密着されるように引き込み移動が可能で埃の侵入を防ぐフタとしても機能する、密着後、持ち手を固定させるためにロックが出来ることを特徴とする持ち手つきペーパー収納箱。
【請求項２】
持ち手にはネジを利用して壁に本収納箱１を固定させるための穴４があけてあり、壁に設置するための機能を有することを特徴とする請求項１に記載の持ち手つきぺーパー収納箱。
【発明の詳細な説明】
【技術分野】
【０００１】
この発明は、取り出しが容易となるように折り畳まれたティッシュや、ペーパータオルを収納してなるペーパー収納箱に関する。
【背景技術】
【０００２】
従来のペーパー収納箱（ホルダ）としては、特許文献１や特許文献２に記載されているものが公知であり、これら収納箱（ホルダ）は、ロール状に巻装されたペーパータオルの最外層端部を、収納箱に開設されたスリット状の溝部や開口部から導出させ、この導出端部を引っ張って任意の長さまで引き出した後、ミシン目に沿ってペーパータオルを切断し、使用しているのが現状である。
【０００３】
【特許文献１】特開２００２−３４５６７８号公報
【０００４】
【特許文献２】特開平６−５４７７７号公報
【０００５】
しかしながら、上記従来のペーパータオル収納箱の構造にあっては、ロール状に巻装されたペーパータオルを用いるため、重量抵抗によって、引き出す時に往々にして所望ではない長さで切れてしまうという課題を有し、また、ワンアクションで所望の大きさのペーパータオルを入手することができない、といった課題を有していた。
【０００６】
このような課題を解決するためには、ティッシュペーパーのように、長方形状にカットされたペーパータオルを、ティッシュ箱のような収納箱に多数枚積層して収納し、ティッシュ箱のようなスリット溝から引き出す構造も考えられるが、ペーパータオルの場合、ティッシュペーパーのように薄くはなく、比較的厚く形成されているので、上記のようなスリット溝から簡単には引き出しにくく、途中で破れたりし易い、という問題を有しており、また、上記のような収納箱に収納できる大きさでは、ペーパータオルとしての吸水性を十分確保できる大きさではなく、これを確保するためには、ペーパータオルを大きく形成しなければならず、収納箱が大型化し、置き場所に困る、という問題を有していた。
また、持ち運びが難しく、取り出し口の紙に、埃や雑菌が付着するといった問題もあった。
【発明の開示】
【発明が解決しようとする課題】
【０００７】
この発明は、かかる現状に鑑み創案されたものであって、その目的とするところは、ティッシュ及びペーパータオルとしての機能性を十分確保できる大きさを有していても、収納箱を大型化させることなく多数枚を積層して収納することができ、しかも、取り出しが容易で、持ち運びを向上させ、ペーパー取り出し口からの埃の侵入を防ぐフタとしての機能を持ち、壁に設置するための機能を有する持ち手を持ったぺーパー収納箱を提供する                                                        ものである。
【課題を解決するための手段】
【０００８】
上記目的を達成するため、請求項１に記載の発明にあっては、ペーパータオルを所定形状に折り畳み、これを必要枚数積層した状態で収納し、かつ、開設されたペーパー取り出し用の穴から最上部のペーパーを引き出し自在に収納してなるペーパー収納箱であって、持ち運びを向上させるための持ち手は、収納箱両端側面につけられ３６０度回転でき、持つために指を入れる空間がある状態から、収納箱側に密着されるように引き込み密着移動が可能で、開設されたペーパー取り出し用の穴の位置に持ってくれば、細菌や埃の侵入を防ぐフタとなる、また、密着後、持ち手を固定させるためにロックが出来ることを特徴とするものである。
【０００９】
また、請求項２に記載の発明は、請求項１に記載の発明を前提とし、前記ペーパー収納箱の持ち手に穴があけてあり、壁に持ち手をネジや釘を利用して固定する事によって本収納箱を固定させることを特徴とする請求項１に記載の持ち手つきぺーパー収納箱である。
【発明の効果】
【００１０】
以上説明したように、請求項１に記載の発明にあっては、これを必要枚数積層した状態で収納し、かつ、開設されたペーパー取り出し用の穴から最上部のペーパーを引き出し自在に収納してなるペーパー収納箱であるが、ペーパーの取り出し方向は、取り出し口を上方向、横方向、下方向としても、持ち手が３６０度回転できるため、手で持っても、紐を使ってぶら下げても、持ち手が邪魔になることなく問題なく使える。また病院など、細菌ほこりを嫌う環境であっても、持ち手が本体から離れて動く状態から、本体に密着させて動かない状態にすると、ちょうど取り出し口の穴を、持ち手が覆いかぶさることでふさぎ、細菌や埃の侵入を防ぐフタとなるという効果が得られる。
【００１１】
また、請求項２に記載の発明にあっては、前記持ち手にはネジや釘を利用して壁に本収納箱を固定させるための穴があけてあり、置いて使うのみならず壁面に設置することができる。
【発明を実施するための最良の形態】
【００１２】
以下、添付図面に示す発明の実施の形態例に基づき、この発明を詳細に説明する。
【実施例】
【００１３】
図１はこの発明に係る持ち手つきペーパー収納箱を示す斜視図を示す説明図である。
【００１４】
この実施例に係るペーパー収納箱１は、積層されたペーパータオルを多数枚収納可能なように直方体に組み立てられており、形成されたペーパー取り出し口４面にはペーパーを補充するための蓋３が設けられている。
【００１５】
ペーパー収納箱１の両側面には持ち手２を支持するための支柱７が出ており、これを中心にして、持ち手２は３６０度回るように可動する。
【００１６】
持ち手２の支柱部の穴は、支柱７を中心に単に回るだけではなく、持ち手２の穴が縦長に空けられており、使わないときや、フタとして利用するときは、本体に密着するまで持ち手２が移動できる。持ち手２が収納箱１本体まで移動した際、不本意に緩み、回転しないよう、持ち手２に空けた穴５の形状からロックされて動かないように出来る。
【００１７】
持ち手２にあいているネジ用穴５に、ネジ６を通し、壁面に打ち込み、ネジ頭で固定させる。持ち手２と収納箱１は、支柱７を介して連結しており、トイレなどの壁面にも簡単に設置して使える。
【００１８】
次に、上記ペーパータオル収納箱１に積層された状態で収納されるペーパーは、積層された状態で、ペーパータオルであれば、２２０ｍｍ×９０ｍｍの断面で積み重ね高さ９０ｍｍ、ティッシュであれば、２３０ｍｍ×１１０ｍｍの断面で積み重ね高さ９０ｍｍの挿入使用が好適である。
【産業上の利用可能性】
【００１９】
この発明に係る持ち手２つきペーパー収納箱１は、以上のように構成されているので、大きなサイズに裁断されたペーパータオルを小さく折り畳んでコンパクトに積層収納することができ、しかも、持ち運びに便利な持ち手２が付いているが、回転するので使用時に邪魔にならず、細菌や埃が入らないように使用しない時はその持ち手２がフタとなり、更に壁面据え置き型として使うときには、持ち手２の穴５を利用して、本体収納箱１を壁に固定できる。
【図面の簡単な説明】
【００２０】
【図１】この発明の実施例に係る持ち手つきペーパー収納箱を示す斜視図である。
【符号の説明】
【００２１】
１ ペーパー収納箱
２ 持ち手
３ 蓋
４ ペーパー取り出し用の穴
５ネジ用穴
６ネジ
７支柱
【図１】
2011225264.tif 000003